(57)【特許請求の範囲】
【請求項１】
壁紙をプレビューするためのアプリケーションにおいて、第１表示領域においてのユーザのジェスチャーによるスライド命令を取得した場合、当該壁紙の第１境界を基準として、スライドジェスチャーに従って、当該壁紙をプレビューさせるステップと、
前記壁紙をプレビューするためのアプリケーションにおいて、第２表示領域においてのユーザのジェスチャーによるスライド命令を取得した場合には、当該壁紙の第２境界を基準として、スライドジェスチャーに従って、当該壁紙をプレビューさせるステップと
を含み、
前記第１表示領域は、プレビューインターフェースにおける予め設定された領域であり、
前記第２表示領域は、前記プレビューインターフェースにおける前記第１表示領域以外の領域である
ことを特徴とする画像表示処理方法。
【請求項２】
前記第１表示領域においてのユーザのジェスチャーによるスライド命令は、当該壁紙を全体的にプレビューさせるための命令であり、前記第１境界は、最大画素によって表示される際の当該壁紙の実際の境界であり、
前記第２表示領域においてのユーザのジェスチャーによるスライド命令は、前記壁紙を連続的にプレビューさせるための命令であり、前記第２境界は、当該壁紙における前記プレビューインターフェースの境界である
ことを特徴とする請求項１に記載の画像表示処理方法。
【請求項３】
前記壁紙の第１境界を基準として、スライドジェスチャーに従って、当該壁紙をプレビューさせるステップは、
前記第１表示領域の大きさと前記壁紙のサイズの大きさとの比例によって、当該壁紙の第１境界を基準として、スライドジェスチャーに従って、当該壁紙をプレビューさせるステップを含み、
前記壁紙の第２境界を基準として、スライドジェスチャーに従って、当該壁紙をプレビューさせるステップは、
前記スライドジェスチャーの実際のスライド距離によって、前記壁紙の第２境界を基準として、スライドジェスチャーに従って、当該壁紙をプレビューさせるステップを含む
ことを特徴とする請求項１に記載の画像表示処理方法。
【請求項４】
前記壁紙の第１境界を基準として、スライドジェスチャーに従って、壁紙をプレビューさせるステップは、
前記スライドジェスチャーの実際のスライド距離によって、前記壁紙の第１境界を基準として、スライドジェスチャーに従って、当該壁紙をプレビューさせるステップを含み、
前記壁紙の第２境界を基準として、スライドジェスチャーに従って、当該壁紙をプレビューさせるステップは、
前記スライドジェスチャーに基づいて、前記壁紙の第２境界を基準として、プレビューさせている壁紙を移動して切替するステップを含む
ことを特徴とする請求項１に記載の画像表示処理方法。
【請求項５】
壁紙をプレビューするためのアプリケーションにおいて、当該壁紙を拡大して表示させるための、二つの点が離れるスライドであるジェスチャー命令を取得した場合には、当該壁紙の最大画素によって当該壁紙を表示させるステップと、
前記壁紙をプレビューするためのアプリケーションにおいて、当該壁紙を縮小して表示させるための、二つの点が接近するスライドであるジェスチャー命令を取得した場合には、プレビューインターフェースを限界として当該壁紙を表示させるステップと
を含むことを特徴とする画像表示処理方法。
【請求項６】
前記壁紙を縮小して表示させるためのジェスチャー命令を取得した場合、前記プレビューインターフェースを限界として当該壁紙を表示させるステップは、
前記壁紙を縮小して表示させるためのジェスチャー命令が発生する過程において、ジェスチャーのスライド距離に基づいて、比例的に、表示させる当該壁紙を縮小するステップと、
前記壁紙を縮小して表示させるためのジェスチャー命令が終了した場合には、前記プレビューインターフェースを限界として当該壁紙を表示させるステップと
含むことを特徴とする請求項５に記載の画像表示処理方法。
【請求項７】
壁紙をプレビューするためのアプリケーションにおいて、第１表示領域においてのユーザのジェスチャーによるスライド命令を取得するか、或は、第２表示領域においてのユーザのジェスチャーによるスライド命令を取得するためのトリガーモジュールと、
前記第１表示領域においてのユーザのジェスチャーによるスライド命令を取得した場合には、前記壁紙の第１境界を基準として、スライドジェスチャーに従って、当該壁紙をプレビューさせ、前記第２表示領域においてのユーザのジェスチャーによるスライド命令を取得した場合には、当該壁紙の第２境界を基準として、スライドジェスチャーに従って、壁紙をプレビューさせるための表示処理モジュールと
を備え、
前記第１表示領域は、プレビューインターフェースにおける予め設定された領域であり、
前記第２表示領域は、前記プレビューインターフェースにおける前記第１表示領域以外の領域である
ことを特徴とする画像表示処理装置。
【請求項８】
前記第１表示領域においてのジェスチャーによるスライド命令は、前記壁紙を全体的にプレビューさせるための命令であり、前記第１境界は、最大画素によって表示される際の前記壁紙の実際の境界であり、
前記第２表示領域においてのジェスチャーによるスライド命令は、前記壁紙を連続的にプレビューさせるための命令であり、前記第２境界は、前記壁紙における前記プレビューインターフェースの境界である
ことを特徴とする請求項７に記載の画像表示処理装置。
【請求項９】
前記表示処理モジュールは、前記第１表示領域の大きさと前記壁紙のサイズの大きさとの比例によって、当該壁紙の第１境界を基準として、スライドジェスチャーに従って、壁紙をプレビューさせるか、或は、前記スライドジェスチャーの実際のスライド距離によって、当該壁紙の第２境界を基準として、スライドジェスチャーに従って、壁紙をプレビューさせる
ことを特徴とする請求項７に記載の画像表示処理装置。
【請求項１０】
前記表示処理モジュールは、前記スライドジェスチャーの実際のスライド距離によって、前記壁紙の第１境界を基準として、スライドジェスチャーに従って、壁紙をプレビューさせるか、或は、当該スライドジェスチャーに基づいて、当該壁紙の第２境界を基準として、プレビューさせている壁紙を移動して切替する
ことを特徴とする請求項７に記載の画像表示処理装置。
【請求項１１】
壁紙をプレビューするためのアプリケーションにおいて、当該壁紙を拡大して表示させるためのジェスチャー命令を取得するか、或は、当該壁紙を縮小して表示させるためのジェスチャー命令を取得するためのトリガーモジュールと、 
前記壁紙を拡大して表示させるための、二つの点が離れるスライドであるジェスチャー命令を取得した場合には、当該壁紙の最大画素によって壁紙を表示させ、当該壁紙を縮小して表示させるための、二つの点が接近するスライドであるジェスチャー命令を取得した場合には、プレビューインターフェースを限界として壁紙を表示させるための表示処理モジュールと
を備えることを特徴とする画像表示処理装置。
【請求項１２】
前記表示処理モジュールは、前記壁紙を縮小して表示させるためのジェスチャー命令が発生する過程においては、ジェスチャーのスライド距離に比例して、当該壁紙を縮小し、前記壁紙を縮小して表示させるためのジェスチャー命令が終了した場合には、前記プレビューインターフェースを限界として壁紙を表示させる
ことを特徴とする請求項１１に記載の画像表示処理装置。
【請求項１３】
プロセッサに実行されることにより、請求項１から請求項６のいずれか１項に記載の画像表示処理方法を実現することを特徴とするプログラム。
【請求項１４】
請求項１３に記載のプログラムが記録された記録媒体。
【発明の詳細な説明】
【技術分野】
【０００１】
本発明はコンピューター及び画像処理技術分野に関し、特に、画像表示処理方法、画像表示処理装置、プログラム、及び記録媒体に関する。
【背景技術】
【０００２】
エレクトロニクス技術の急速な発展に伴い、携帯電話、ノートパソコン、タブレットＰＣ、等の電気製品がすでに広く使用されている。ここで、タッチスクリーンが装着された電気製品は、さらに、関心度が非常に高く、将来には主流製品になるはずである。様々な新タイプの電気製品が連続的に売り出されることに伴い、電気製品における様々な付加価値サービスも、徐々に豊富になり、また、徐々にパーソナライズ化されている。美しくて個性的な壁紙は、電気製品における不可欠なサービスである。
【０００３】
壁紙を利用する前に、壁紙をプレビューするアプリケーションが必要である。優れた壁紙表示効果を提供するために、現在の壁紙は、解像度が最大の場合のサイズは、ディスプレイ又はプレビューするインターフェースのサイズより大きくなる傾向にある。ユーザは、壁紙を縮小させたり移動させたりして、壁紙の全貌をプレビューする。
【０００４】
図１に示すように、ユーザが最大の解像度で壁紙をプレビューする場合には、次の壁紙をプレビューする前に、現在の壁紙を、現在の位置から次の壁紙の境界まで移動させる必要がある。このような移動方法は、移動する距離がより大きくて、次の壁紙をプレビューするのに不便である。
【発明の概要】
【発明が解決しようとする課題】
【０００５】
本発明の実施例は、画像表示の効果と効率を改善するための画像表示処理方法、及び装置を提供する。
【課題を解決するための手段】
【０００６】
本発明の実施例の第１の態様によると、画像表示処理方法を提供し、前記方法は、壁紙をプレビューするためのアプリケーションにおいて、第１表示領域においてのユーザのジェスチャーによるスライド命令を取得した場合、壁紙の第１境界を基準として、スライドジェスチャーに従って、壁紙をプレビューさせるステップと、壁紙をプレビューするためのアプリケーションにおいて、第２表示領域においてのユーザのジェスチャーによるスライド命令を取得した場合には、壁紙の第２境界を基準として、スライドジェスチャーに従って、壁紙をプレビューさせるステップとを含む。このように、本実施例においては、二種の境界を採用して、第１境界によって壁紙全体のプレビューを便利に実現でき、第２境界によって壁紙の連続的なプレビューを高速で行うことができ、このようして画像表示の効果と効率を改善できる。
【０００７】
好ましくは、第１表示領域においてのジェスチャーによるスライド命令は、壁紙を全体的にプレビューさせるための命令であり、第１境界は、最大画素によって表示される際の壁紙の実際の境界であり、第２表示領域においてのジェスチャーによるスライド命令は、壁紙を連続的にプレビューさせるための命令であり、第２境界は、壁紙におけるプレビューインターフェースの境界である。このように、一枚の壁紙をプレビューする際と、連続的に複数枚の壁紙をプレビューする際に、ともに、望ましいプレビュー効果と効率を実現できる。
【０００８】
好ましくは、第１表示領域は、プレビューインターフェースにおける予め設定された領域であり、第２表示領域は、プレビューインターフェースにおける第１表示領域以外の領域である。一枚の壁紙をプレビューする際と、連続的に複数枚の壁紙をプレビューする際とのジェスチャー操作は同一、或は同様な場合があるため、本実施例においては、第１表示領域と第２表示領域を定義することにより、異なるジェスチャー命令を区分できる。
【０００９】
好ましくは、壁紙の第１境界を基準として、スライドジェスチャーに従って、壁紙をプレビューさせるステップは、第１表示領域の大きさと壁紙のサイズの大きさとの比例によって、壁紙の第１境界を基準として、スライドジェスチャーに従って、壁紙をプレビューさせるステップを含み、壁紙の第２境界を基準として、スライドジェスチャーに従って、壁紙をプレビューさせるステップは、ジェスチャーの実際のスライド距離によって、壁紙の第２境界を基準として、スライドジェスチャーに従って、壁紙をプレビューさせるステップを含む。特定ジェスチャー命令に対して、該当するプレビュー画像処理方法を採用することにより、さらに、プレビューの効果と効率を改善できる。
【００１０】
或は、好ましくは、第２表示領域は、プレビューインターフェースにおける予め設定された領域であり、第１表示領域は、プレビューインターフェースにおける第２表示領域以外の領域である。一枚の壁紙をプレビューする際と、連続的に複数枚の壁紙をプレビューする際とのジェスチャー操作は同一、或は同様な場合があるため、本実施例においては、第１表示領域と第２表示領域を定義することにより、異なるジェスチャー命令を区分できる。
【００１１】
好ましくは、壁紙の第１境界を基準として、スライドジェスチャーに従って、壁紙をプレビューさせるステップは、ジェスチャーの実際のスライド距離によって、壁紙の第１境界を基準として、スライドジェスチャーに従って、壁紙をプレビューさせるステップを含み、壁紙の第２境界を基準として、スライドジェスチャーに従って、壁紙をプレビューさせるステップは、スライドジェスチャーに基づいて、壁紙の第２境界を基準として、プレビューさせている壁紙を移動して切替するステップを含む。特定ジェスチャー命令に対して、該当するプレビュー画像処理方法を採用することにより、さらに、プレビューの効果と効率を改善できる。
【００１２】
本発明の実施例の第２の態様によると、画像表示処理方法を提供し、前記方法は、壁紙をプレビューするためのアプリケーションにおいて、壁紙を拡大して表示させるための、二つの点が離れるスライドであるジェスチャー命令を取得した場合には、壁紙の最大画素によって壁紙を表示させるステップと、壁紙をプレビューするためのアプリケーションにおいて、壁紙を縮小して表示させるための、二つの点が接近するスライドであるジェスチャー命令を取得した場合には、プレビューインターフェースを限界として壁紙を表示させるステップとを含む。本実施例において、拡大、及び縮小する際に、ジェスチャー命令の移動距離、及び比例に基づいて処理することではなく、壁紙の最大画素によって壁紙を表示させるか、或いは、プレビューインターフェースを限界として壁紙を表示させることによって、高速なプレビューを実現できる。
【００１３】
好ましくは、壁紙を縮小して表示させるためのジェスチャー命令を取得した場合、プレビューインターフェースを限界として壁紙を表示させるステップは、壁紙を縮小して表示させるためのジェスチャー命令が発生する過程において、ジェスチャーのスライド距離に基づいて、比例的に、表示させる壁紙を縮小するステップと、壁紙を縮小して表示させるためのジェスチャー命令が終了した場合には、プレビューインターフェースを限界として壁紙を表示させるステップと含む。こうして、さらに、プレビューの効果と効率を改善できる。
【００１４】
本発明の実施例の第３の態様によると、画像表示処理装置を提供し、前記装置は、
壁紙をプレビューするためのアプリケーションにおいて、第１表示領域においてのユーザのジェスチャーによるスライド命令を取得するか、或は、第２表示領域においてのユーザのジェスチャーによるスライド命令を取得するためのトリガーモジュールと、
第１表示領域においてのユーザのジェスチャーによるスライド命令を取得した場合には、壁紙の第１境界を基準として、スライドジェスチャーに従って、壁紙をプレビューさせ、第２表示領域においてのユーザのジェスチャーによるスライド命令を取得した場合には、壁紙の第２境界を基準として、スライドジェスチャーに従って、壁紙をプレビューさせるための表示処理モジュールと
を備える
第１表示領域においてのジェスチャーによるスライド命令は、壁紙を全体的にプレビューさせるための命令であり、第１境界は、最大画素によって表示される際の壁紙の実際の境界であり、
第２表示領域においてのジェスチャーによるスライド命令は、壁紙を連続的にプレビューさせるための命令であり、第２境界は、壁紙におけるプレビューインターフェースの境界である。
【００１５】
第１表示領域は、プレビューインターフェースにおける予め設定された領域であり、第２表示領域は、プレビューインターフェースにおける第１表示領域以外の領域である。
【００１６】
表示処理モジュールは、第１表示領域の大きさと壁紙のサイズの大きさとの比例によって、壁紙の第１境界を基準として、スライドジェスチャーに従って、壁紙をプレビューさせるか、或は、ジェスチャーの実際のスライド距離によって、壁紙の第２境界を基準として、スライドジェスチャーに従って、壁紙をプレビューさせる。
【００１７】
第２表示領域は、プレビューインターフェースにおける予め設定された領域であり、第１表示領域は、プレビューインターフェースにおける第１表示領域以外の領域である。
【００１８】
表示処理モジュールは、ジェスチャーの実際のスライド距離によって、壁紙の第１境界を基準として、スライドジェスチャーに従って、壁紙をプレビューさせるか、或は、スライドジェスチャーに基づいて、壁紙の第２境界を基準として、プレビューさせている壁紙を移動して切替する。
【００１９】
本発明の実施例の第４の態様によると、画像表示処理装置を提供し、前記装置は、
壁紙をプレビューするためのアプリケーションにおいて、壁紙を拡大して表示させるためのジェスチャー命令を取得するか、或は、壁紙を縮小して表示させるためのジェスチャー命令を取得するためのトリガーモジュールと、 
壁紙を拡大して表示させるための、二つの点が離れるスライドであるジェスチャー命令を取得した場合には、壁紙の最大画素によって壁紙を表示させ、壁紙を縮小して表示させるための、二つの点が接近するスライドであるジェスチャー命令を取得した場合には、プレビューインターフェースを限界として壁紙を表示させるための表示処理モジュールと、
壁紙を縮小して表示させるためのジェスチャー命令が発生する過程においては、ジェスチャーのスライド距離に比例して、表示させる壁紙を縮小し、壁紙を縮小して表示させるためのジェスチャー命令が終了した場合には、プレビューインターフェースを限界として壁紙を表示させるための表示処理モジュールと、
を備える。
本発明の実施例の第５の態様によると、プロセッサに実行されることにより、上記イメージ表示処理方法を実現するプログラムを提供する。
本発明の実施例の第６の態様によると、上記プログラムが記録された記録媒体を提供する。
【発明の効果】
【００２０】
本発明のその他の特徴と利点に対しては、以下の明細書において説明する。また、一部は明細書によって明らかになり、或は、本発明を実施することにより理解できる。本発明の目的とその他の利点は、明細書、特許請求の範囲、及び図面において指摘された構成によって実現したり取得したりすることができる。
以下、図面と実施例によって、本発明の技術案をさらに詳しく記述する。
【図面の簡単な説明】
【００２１】
図面は、本発明に対する更なる理解を支援するためのものであり、明細書の一部を構成し、本発明の実施例とともに本発明を説明するためのものであり、本発明を限定するものではない。
【図１】図１は、従来の技術において画像をプレビューする時の様子の模式図である。
【図２】図２は、本発明の実施例に係る、画像表示処理の主な方法のフローチャートである。
【図３】図３は、本発明の実施例に係る、第１表示領域がプレビューインターフェースにおける予め設定された領域であり、第２表示領域がプレビューインターフェースにおける第１表示領域以外の領域である場合の、画像表示処理の方法のフローチャートである。
【図４】図４は、本発明の実施例に係る、画像の各表示領域と境界の模式図である。
【図５】図５は、本発明の実施例に係る、第１表示領域において壁紙を左方又は右方にドラッグする場合の模式図である。
【図６】図６は、本発明の実施例に係る、第１表示領域において壁紙を左方又は右方にドラッグする場合の模式図である。
【図７】図７は、本発明の実施例に係る、第２表示領域において壁紙を左方又は右方にスライドする場合の模式図である。
【図８】図８は、本発明の実施例に係る、第２表示領域において壁紙を左方又は右方にスライドする場合の模式図である。
【図９】図９は、本発明の実施例に係る、第２表示領域がプレビューインターフェースにおける予め設定された領域であり、第１表示領域がプレビューインターフェースにおける第１表示領域以外の領域である場合の、画像表示処理の方法フローチャートである。
【図１０Ａ】図１０Ａは、本発明の実施例に係る、画像表示処理の方法のフローチャートである。
【図１０Ｂ】図１０Ｂは、本発明の実施例に係る、画像を拡大した後と縮小した後の模式図である。
【図１０Ｃ】図１０Ｃは、本発明の実施例に係る、画像を拡大した後と縮小した後の模式図である。
【図１１】図１１は、本発明の実施例に係る装置の一構成図である。
【図１２】図１２は、本発明の実施例に係る装置の別の一構成図である。
【図１３】図１３は、本発明の実施例に係る携帯電話の構成図である。
【発明を実施するための形態】
【００２２】
以下、図面を参照しながら、本発明の好ましい実施例を説明する。ここで説明する好ましい実施例は、ただ、本発明を説明するためのものであり、本発明を制限するものではないであることを、理解するべきである。
【００２３】
本実施例においては、二種の境界を採用し、第１境界によって壁紙全体のプレビューを便利に実現でき、第２境界によって壁紙の連続的なプレビューを高速で行うことができ、このようにして画像表示の効果と効率を改善する。
【００２４】
図２を参照すると、本実施例に係る画像表示処理の主な方法の流れは以下のようである。
【００２５】
ステップ２０１において、壁紙をプレビューするためのアプリケーションにおいて、第１表示領域においてのユーザのジェスチャーによるスライド命令を取得した場合、壁紙の第１境界を基準として、スライドジェスチャーに従って、壁紙をプレビューさせる。
【００２６】
ステップ２０２において、壁紙をプレビューするためのアプリケーションにおいて、第２表示領域においてのユーザのジェスチャーによるスライド命令を取得した場合には、壁紙の第２境界を基準として、スライドジェスチャーに従って、壁紙をプレビューさせる。
【００２７】
好ましくは、第１表示領域においてのジェスチャーによるスライド命令は、壁紙を全体的にプレビューするための命令を意味し、第１境界は、最大の画素によって壁紙を表示する際の実際の境界であり、第２表示領域においてのジェスチャーによるスライド命令は、連続的に壁紙をプレビューするための命令を意味し、第２境界は、壁紙におけるプレビューインターフェースの境界である。
【００２８】
好ましくは、第１表示領域と第２表示領域とを区別するための方法には、様々な方法があり、例えば、第１表示領域は、プレビューインターフェースにおける予め設定された領域であり、第２表示領域は、プレビューインターフェースにける第１表示領域以外の領域であることになる。或は、第２表示領域は、プレビューインターフェースにおける予め設定された領域であり、第１表示領域は、プレビューインターフェースにおける第１表示領域以外の領域である。
【００２９】
第１表示領域が、プレビューインターフェースにおける予め設定された領域であり、第２表示領域が、プレビューインターフェースにおける第１表示領域以外の領域である場合、壁紙の第１境界を基準として、スライドジェスチャーに従って、壁紙をプレビューさせるステップは、第１表示領域の大きさと壁紙のサイズの大きさとの比例によって、壁紙の第１境界を基準として、スライドジェスチャーに従って、壁紙をプレビューさせるステップを含む。壁紙の第２境界を基準として、スライドジェスチャーに従って、壁紙をプレビューさせるステップは、ジェスチャーの実際のスライド距離によって、壁紙の第２境界を基準として、スライドジェスチャーに従って、壁紙をプレビューさせるステップを含む。これは、望ましい一実現方法であり、他の比例を採用して壁紙をプレビューさせてもよいし、或は、いずれの比例を採用せずに壁紙をプレビューさせてもよいし、様々な実現方法はすべて本実施例に適用できる。
【００３０】
第２表示領域が、プレビューインターフェースにおける予め設定された領域であり、第１表示領域が、プレビューインターフェースにおける第２表示領域以外の領域である場合、壁紙の第１境界を基準として、スライドジェスチャーに従って、壁紙をプレビューさせるステップは、ジェスチャーの実際のスライド距離によって、壁紙の第１境界を基準として、スライドジェスチャーに従って、壁紙をプレビューさせるステップを含む。壁紙の第２境界を基準として、スライドジェスチャーに従って、壁紙をプレビューさせるステップは、スライドジェスチャーに基づいて、壁紙の第２境界を基準として、プレビューさせている壁紙を移動して切替するステップを含む。これは、好ましい一実現方法であり、他の距離確定方法を採用して壁紙をプレビューさせてもよいし、様々な実現方法はすべて本実施例に適用できる。
【００３１】
以下、二つの典型的な実施例によって、実現する過程を詳細に説明する。
【００３２】
図３を参照して、本実施例において、第１表示領域が、プレビューインターフェースにおける予め設定された領域であり、第２表示領域が、プレビューインターフェースにおける第１表示領域以外の領域である場合、画像表示処理の方法の流れは以下である。
【００３３】
図４を例とすると、第１表示領域は４０１が示す領域であり、第２表示領域は４０２が示す領域であり、４０３は第１境界を示し、４０４は第２境界を示す。
【００３４】
壁紙を全体的にプレビューさせる過程は以下の通りである。
【００３５】
ステップ３０１において、壁紙をプレビューするためのアプリケーションにおいて、第１表示領域においてのユーザの壁紙を全体的にプレビューするためのジェスチャー命令を取得する。例えば、図５と図６に示したように、当該ジェスチャー命令は、ユーザが第１表示領域において左方又は右方にドラッグするジェスチャー命令である。
【００３６】
ステップ３０２において、第１表示領域の大きさと壁紙のサイズの大きさとの比例によって、ドラッグジェスチャーに従って壁紙を移動させ、壁紙の移動範囲は、第１境界、即ち最大画素によって表示する際の実際の境界を越えない。
【００３７】
当該ジェスチャー命令は、第１表示領域においてのドラッグジェスチャー命令でもあり、連続的なトリガー命令でもあり、トリガーをかける度に、表示させる壁紙を移動する。
【００３８】
連続的に壁紙をプレビューする過程は、以下である。
【００３９】
ステップ３０３において、壁紙をプレビューするためのアプリケーションにおいて、第２表示領域においてのユーザの連続的に壁紙をプレビューするための命令を取得する。例えば、図７と図８に示したように、当該ジェスチャー命令は、ユーザが第２表示領域において左方又は右方に沿ってスライドするジェスチャー命令である。
【００４０】
ステップ３０４において、ジェスチャーの実際のスライド距離によって、壁紙の第２境界を基準として、表示させる壁紙を移動する。
【００４１】
当該ジェスチャー命令は、第２表示領域においてのスライドジェスチャー命令でもあり、連続的なトリガー命令でもあり、トリガーをかける度に、表示させる壁紙を移動し、隣接する二枚の壁紙はともに第２境界を採用し、現在の壁紙から移動して次の壁紙を表示させる。
【００４２】
図９を参照して、本実施例において、第２表示領域は、プレビューインターフェースにおける予め設定された領域であり、第１表示領域は、プレビューインターフェースにおける第１表示領域以外の領域である場合、画像表示処理の方法の流れは、以下である。
【００４３】
壁紙を全体的にプレビューさせる過程は、以下である。
【００４４】
ステップ９０１において、壁紙をプレビューするためのアプリケーションにおいて、ユーザの第１表示領域においての壁紙を全体的にプレビューするためのジェスチャー命令を取得する。
【００４５】
ステップ９０２において、ジェスチャーの実際のドラッグ距離に基づいて、ドラッグジェスチャーに従って、表示させる壁紙を移動し、壁紙の移動範囲は、第１境界、即ち最大画素によって表示する際の実際の境界を越えない。
【００４６】
当該ジェスチャー命令は、第１表示領域においてのドラッグジェスチャー命令でもあり、連続的にトリガーの命令でもあり、トリガーをかける度に、表示させる壁紙を移動する。
【００４７】
連続的に壁紙をプレビューの過程は、以下の通りである。
【００４８】
ステップ９０３において、壁紙をプレビューするためのアプリケーションにおいて、第２表示領域においてのユーザの連続的に壁紙をプレビューするための命令を取得する。
【００４９】
ステップ９０４において、スライドジェスチャーに基づいて、壁紙の第２境界を基準として、プレビューさせている壁紙を移動して切替する。
【００５０】
当該ジェスチャー命令は、第２表示領域においてのスライドジェスチャー命令でもあり、シングルのトリガー命令でもあり、トリガーをかけた後、現在の壁紙から移動して次の壁紙を表示し、隣接する二枚の壁紙はともに第２境界を採用する。
【００５１】
以上の実施例は、主に、ホーム画面の壁紙をプレビューする場面に適用される。ロック画面の壁紙をプレビューする場合には、第２境界だけ採用してもよい。
【００５２】
また、現在は、二つの点を同時に移動して画像の拡大、又は縮小を制御しており、拡大、又は縮小する比は、二つの点が移動する距離と合致する。画像の最大サイズから最小サイズまで縮小したり、又は画像の最小サイズから最大サイズまで拡大したりすると、繰り返して操作する必要がある場合がある。特に、壁紙をプレビューするためのアプリケーションにおいて、多数の場合は、壁紙の最大サイズと最小サイズをプレビューする場合であるため、繰り返し操作する必要があると、ユーザにとって不便である。
【００５３】
図１０Ａを参照して、本実施例における画像表示処理の方法は、以下の複数のステップである。
【００５４】
ステップ１００１において、壁紙をプレビューするためのアプリケーションにおいて、壁紙を拡大して表示させるための、二つの点が離れるスライドであるジェスチャー命令を取得した場合、壁紙の最大画素によって壁紙を表示する。
【００５５】
ステップ１００２において、壁紙をプレビューするためのアプリケーションにおいて、壁紙を縮小して表示させるための、二つの点が接近するスライドであるジェスチャー命令を取得した場合、プレビューインターフェースを限界として壁紙を表示させる。望ましくは、縮小した後の壁紙の幅とプレビューインターフェースの幅は合致している。また、壁紙を縮小して表示させるためのジェスチャー命令が発生する過程においては、ジェスチャーのスライド距離に比例して、表示させる壁紙を縮小し、壁紙を縮小して表示させるためのジェスチャー命令が終了したときに、プレビューインターフェースを限界として壁紙を表示させる。
【００５６】
本実施例において、拡大した後の模式図は図１０Ｂに示したものであり、縮小した後の模式図は図１０Ｃに示したものである。
【００５７】
以上に説明した画像表示処理方法の実行は、装置によって実行してもよい。以下、当該装置の内部の構成と機能を説明する。
【００５８】
図１１を参照すると、本実施例において、画像表示処理を実行するための装置は、トリガーモジュール１１０１、及び表示処理モジュール１１０２を備える。
【００５９】
トリガーモジュール１１０１は、壁紙をプレビューするためのアプリケーションにおいて、第１表示領域においてのユーザのジェスチャーによるスライド命令を取得するか、或は、第２表示領域においてのユーザのジェスチャーによるスライド命令を取得する。
【００６０】
表示処理モジュール１１０２は、第１表示領域においてのユーザのジェスチャーによるスライド命令を取得した場合には、壁紙の第１境界を基準として、スライドジェスチャーに従って、壁紙をプレビューさせ、第２表示領域においてのユーザのジェスチャーによるスライド命令を取得した場合には、壁紙の第２境界を基準として、スライドジェスチャーに従って、壁紙をプレビューさせる。
【００６１】
望ましくは、第１表示領域においてのジェスチャーによるスライド命令は、壁紙を全体的にプレビューさせるための命令であり、第１境界は、最大画素によって表示される際の壁紙の実際の境界であり、第２表示領域においてのジェスチャーによるスライド命令は、壁紙を連続的にプレビューさせるための命令であり、第２境界は、壁紙におけるプレビューインターフェースの境界である。
【００６２】
第１表示領域は、プレビューインターフェースにおける予め設定された領域であり、第２表示領域は、プレビューインターフェースにおける第１表示領域以外の領域である。この時、表示処理モジュール１１０２は、第１表示領域の大きさと壁紙のサイズの大きさとの比例によって、壁紙の第１境界を基準として、スライドジェスチャーに従って、壁紙をプレビューさせるか、或は、ジェスチャーの実際のスライド距離によって、壁紙の第２境界を基準として、スライドジェスチャーに従って、壁紙をプレビューさせる。
【００６３】
第２表示領域は、プレビューインターフェースにおける予め設定された領域であり、第１表示領域は、プレビューインターフェースにおける第２表示領域以外の領域である。この時、表示処理モジュール１１０２は、ジェスチャーの実際のスライド距離によって、壁紙の第１境界を基準として、スライドジェスチャーに従って、壁紙をプレビューさせるか、或は、スライドジェスチャーに基づいて、壁紙の第２境界を基準として、プレビューさせている壁紙を移動して切替する。
【００６４】
図１２を参照すると、本実施例において、画像表示処理を実行するための装置は、トリガーモジュール１２０１、及び表示処理モジュール１２０２を備える。
【００６５】
トリガーモジュール１２０１は、壁紙をプレビューするためのアプリケーションにおいて、壁紙を拡大して表示させるためのジェスチャー命令を取得するか、或は、壁紙を縮小して表示させるためのジェスチャー命令を取得する。
【００６６】
表示処理モジュール１２０２は、壁紙を拡大して表示させるための、二つの点が離れるスライドであるジェスチャー命令を取得した場合には、壁紙の最大画素によって壁紙を表示させ、壁紙を縮小して表示させるための、二つの点が接近するスライドであるジェスチャー命令を取得した場合には、プレビューインターフェースを限界として壁紙を表示させる。望ましくは、表示処理モジュール１２０２は、壁紙を縮小して表示させるためのジェスチャー命令が発生する過程においては、ジェスチャーのスライド距離に比例して、壁紙を縮小し、壁紙を縮小して表示させるためのジェスチャー命令が終了したときに、プレビューインターフェースを限界として壁紙を表示させる。
【００６７】
本実施例において、トリガーモジュール１１０１とトリガーモジュール１２０１は、同一なモジュールであってもよい。表示処理モジュール１１０２と表示処理モジュール１２０２は、同一なモジュールであってもよい。
【００６８】
前記装置は、携帯電話、等のタッチスクリーン付けの機器であってもよい。図１３に示したように、携帯電話は、タッチスクリーン、プロセッサ、及びメモリを備える。
【００６９】
タッチスクリーンは、様々なジェスチャー命令を取得する。
【００７０】
プロセッサは、第１表示領域においてのユーザのジェスチャーによるスライド命令を取得した場合には、壁紙の第１境界を基準として、スライドジェスチャーに従って、壁紙をプレビューさせ、第２表示領域においてのユーザのジェスチャーによるスライド命令を取得した場合には、壁紙の第２境界を基準として、スライドジェスチャーに従って、壁紙をプレビューさせる。また、壁紙を拡大して表示させるためのジェスチャー命令を取得した場合には、壁紙の最大画素によって壁紙を表示させ、壁紙を縮小して表示させるためのジェスチャー命令を取得した場合には、プレビューインターフェースを限界として壁紙を表示させる。
【００７１】
メモリは、様々な壁紙、等のデータを記憶する。
【００７２】
本発明の実施例においては、二種の境界を採用して、第１境界によっては壁紙全体のプレビューを便利に実現でき、第２境界によって壁紙の連続的なプレビューを高速で行うことができ、このようにして画像表示の効果と効率を改善する。また、本発明の実施例における第１表示領域と第２表示領域は、様々な種類があり、様々な種類の表示領域毎に、画像の望ましい処理方法を提供して、さらに、画像表示の効率と効果を改善した。
【００７３】
本技術分野の当業者は、本発明の実施例を、方法、システム、若しくは、コンピュータープログラム製品として提供してもよいことを、理解すべきである。それで、本発明は、完全なハードウェアの実施例、完全なソフトウェアの実施例、若しくは、ソフトウェアとハードウェアを組み合わせた実施例の形態を採用してもよい。そして、本発明は、その中にコンピューターが実行可能なプログラムコードを含む、一つ、或は、複数のコンピューターが利用可能な記憶媒体（ディスクメモリ、光メモリ、等を含むが、これらに限定されない）において実施できるコンピュータープログラム製品の形態を採用してもよい。
【００７４】
本発明の実施例に係る方法、機器（システム）、及びコンピュータープログラム製品のフローチャート、及び／或は、ブロック図を参照して、本発明を、説明した。コンピュータープログラム命令によって、フローチャート及び／或はブロック図中の各流れ及び／或は四角枠及びフローチャート、及び／或は、ブロック図中の流れ及び／或は四角枠の組み合わせを、実現してもよいことを理解すべきである。これらコンピュータープログラム命令を、汎用コンピューター、専用コンピューター、組み込みプロセッサ、若しくは、その他のプログラム可能なデータ処理機器のプロセッサに提供して、一つの機器を構成することにより、コンピューター、若しくは、その他のプログラム可能なデータ処理機器のプロセッサが実行する命令によって、フローチャートの一つの流れ又は複数の流れ、及び／或は、ブロック図の一つの四角枠又は複数の四角枠によって指定された機能を実現するための装置を構成してもよい。
【００７５】
これらコンピュータープログラム命令を、コンピューター、或はその他のプログラム可能なデータ処理機器を案内して特定方法によって動作させるコンピューターが読取り可能なメモリに記憶させて、当該コンピューターが読取メモリに記憶された命令によって命令装置を含む製品を構成することにより、当該命令装置によって、フローチャートの一つの流れ又は複数の流れ、及び／或は、ブロック図の一つの四角枠又は複数の四角枠によって指定された機能を実現してもよい。
【００７６】
これらコンピュータープログラム命令を、コンピューター或はその他のプログラム可能なデータ処理機器にインストールして、コンピューター或はその他のプログラム可能な機器において一連の操作ステップを実行してコンピューターによって実現する処理を構成することにより、コンピューター、或はその他のプログラム可能な機器において実行される命令によって、フローチャートの一つの流れ又は複数の流れ、及び／或は、ブロック図の一つの四角枠又は複数の四角枠によって指定された機能を実現するためのステップを提供してもよい。
【００７７】
当然ながら、本技術分野の当業者は、本発明の精神と範囲を逸脱しない前提で、本発明に対して様々な変更と変形を行うことができる。こうして、もし、本発明のこれら変更と変形が本発明の特許請求の範囲、及びそれと等しい技術の範囲内に属すれば、本発明はこれら変更と変形を含むことを意図する。
【図２】
0006002840.tif 000002
【図３】
0006002840.tif 000003
【図９】
0006002840.tif 000004
【図１０Ａ】
0006002840.tif 000005
【図１１】
0006002840.tif 000006
【図１２】
0006002840.tif 000007
【図１３】
0006002840.tif 000008
【図１】
0006002840.tif 000009
【図４】
0006002840.tif 000010
【図５】
0006002840.tif 000011
【図６】
0006002840.tif 000012
【図７】
0006002840.tif 000013
【図８】
0006002840.tif 000014
【図１０Ｂ】
0006002840.tif 000015
【図１０Ｃ】
0006002840.tif 000016